(57)【要約】【課題】少なくとも一つの回転キーにより表示部の画面の多様な表示を制御可能として、入力装置のための限られた空間をより有効利用する。【解決手段】本発明の移動通信端末機は、端末機表面に少なくとも一部を露出させて設けられ、回転操作により第１信号を出力する第１回転キー１５０と、前記第１回転キー１５０と異なる端末機表面位置に少なくとも一部を露出させて設けられ、回転操作により第２信号を出力する第２回転キー１６０と、画像を表示する表示部１４０と、前記第１及び第２信号に基づいて、前記表示部１４０の画面の表示を制御する制御部１７０と、を備えて構成したものである。【選択図】図３
2007325255.tif 000002
【特許請求の範囲】
【請求項１】
端末機表面に少なくとも一部を露出させて設けられ、回転操作により第１信号を出力する第１回転キーと、
前記第１回転キーと異なる端末機表面位置に少なくとも一部を露出させて設けられ、回転操作により第２信号を出力する第２回転キーと、
画像を表示する表示部と、
前記第１及び第２信号に基づいて、前記表示部の画面の表示を制御する制御部と、
を備えて構成したことを特徴とする移動通信端末機。
【請求項２】
前記制御部は、前記第１又は第２信号のいずれか一方の信号を入力すると、前記表示部の画面を第１及び第２画面に分割し、前記第１信号に基づいて前記第１画面をスクロールさせ、前記第２信号に基づいて前記第２画面をスクロールさせることを特徴とする請求項１に記載の移動通信端末機。
【請求項３】
前記制御部は、前記第１又は第２信号のいずれか一方の信号を入力すると、前記表示部の画面を第１及び第２画面に分割し、前記第１信号に基づいて前記第１画面を第１速度でスクロールさせ、前記第２信号に基づいて前記第２画面を前記第１速度とは異なる第２速度でスクロールさせることを特徴とする請求項１に記載の移動通信端末機。
【請求項４】
前記第１速度は、前記第２速度より速いことを特徴とする請求項３に記載の移動通信端末機。
【請求項５】
前記制御部は、前記第２信号に基づいて前記表示部の画面をスクロールし、該画面に表示された複数の項目のうちから選択した一項目を前記第１信号に基づいて他の位置又はフォルダに移動させることを特徴とする請求項１に記載の移動通信端末機。
【請求項６】
前記制御部は、前記第１信号に基づいて前記画面に表示された第１項目の表示形態を変更させ、前記第２信号に基づいて前記画面に表示された第２項目の表示形態を変更させることを特徴とする請求項１に記載の移動通信端末機。
【請求項７】
前記制御部は、前記第１及び第２回転キーのうち、いずれか１つが連続して２回選択されると、前記表示部に表示された画面を第１及び第２画面に分割することを特徴とする請求項１に記載の移動通信端末機。
【請求項８】
前記制御部は、前記第１回転キーが選択されると第１画面を表示し、前記第２回転キーが選択されると第２画面を表示することを特徴とする請求項１に記載の移動通信端末機。
【請求項９】
前記第１回転キーは、さらに押圧操作により第３信号を出力するように構成され、
前記第２回転キーは、さらに押圧操作により第４信号を出力するように構成され、
前記制御部は、
前記第１〜第４信号のいずれか一つを入力すると前記表示部の画面を第１及び第２画面に分割し、前記第１回転キーが押圧又は回転操作されると前記第１画面を選択し、前記第２回転キーが押圧又は回転操作されると前記第２画面を選択し、
前記第１画面が選択されると、前記第１信号に基づいて前記選択された第１画面を第１速度でスクロールし、前記第２信号に基づいて前記第１画面を第２速度でスクロールし、前記第４信号を入力すると前記第２画面に切り替え、
前記第２画面が選択されると、前記第１信号に基づいて前記選択された第２画面を前記第１速度でスクロールし、前記第２信号に基づいて前記第２画面を前記第２速度でスクロールし、前記第３信号を入力すると前記第１画面に切り替える、
ことを特徴とする請求項１に記載の移動通信端末機。
【請求項１０】
端末機表面に少なくとも一部を露出させて回転及び押圧操作可能に設けられ、回転操作により一の信号を出力し、押圧及び回転操作により他の信号を出力する回転キーを備えた入力装置と、
前記端末機表面にて前記入力装置に並べて設けられ、画像を表示する表示部と、
前記二つの信号に基づいて前記表示部の画面の表示を制御する制御部と、
を備えて構成したことを特徴とする移動通信端末機。
【請求項１１】
前記制御部は、前記二つの信号のいずれか一方を入力すると前記表示部の画面を第１及び第２画面に分割し、前記一の信号に基づいて前記第１画面をスクロールさせ、前記他の信号に基づいて前記第２画面をスクロールさせることを特徴とする請求項１０に記載の移動通信端末機。
【請求項１２】
前記制御部は、前記二つの信号のいずれか一方を入力すると前記表示部の画面を第１及び第２画面に分割し、前記一の信号に基づいて前記第１画面を第１速度でスクロールさせ、前記他の信号に基づいて前記第２画面を前記第１速度とは異なる第２速度でスクロールさせることを特徴とする請求項１０に記載の移動通信端末機。
【請求項１３】
前記第１速度は、前記第２速度より速いことを特徴とする請求項１２に記載の移動通信端末機。
【請求項１４】
前記制御部は、前記一の信号が連続して出力される時間に比例して、前記第１速度の速度を速めることを特徴とする請求項１２に記載の移動通信端末機。
【請求項１５】
移動通信端末機の表示部の画面表示を制御する方法において、
端末機表面に少なくとも一部を露出させて設けられた第１回転キーの回転操作により第１信号を出力するステップと、
前記第１回転キーと異なる端末機表面位置に少なくとも一部を露出させて設けられた第２回転キーの回転操作により第２信号を出力するステップと、
前記第１及び第２回信号に基づいて、前記表示部の画面の表示を制御するステップと、
を含むことを特徴とする移動通信端末機の制御方法。
【請求項１６】
前記画面の表示を制御するステップは、前記第１又は第２信号のいずれか一方の信号を入力すると前記表示部の画面を第１及び第２画面に分割し、前記第１信号に基づいて前記第１画面をスクロールさせ、前記第２信号に基づいて前記第２画面をスクロールさせることを特徴とする請求項１５に記載の移動通信端末機の制御方法。
【請求項１７】
前記画面の表示を制御するステップは、前記第１又は第２信号のいずれか一方の信号を入力すると前記表示部の画面を第１及び第２画面に分割し、前記第１回転キーの信号に基づいて前記第１画面を第１速度でスクロールさせ、前記第２回転キーの信号に基づいて前記第２画面を前記第１速度とは異なる第２速度でスクロールさせることを特徴とする請求項１５に記載の移動通信端末機の制御方法。
【請求項１８】
前記第１速度は、前記第２速度より速いことを特徴とする請求項１７に記載の移動通信端末機の制御方法。
【請求項１９】
前記画面の表示を制御するステップは、前記第２信号に基づいて前記表示部の画面をスクロールし、該画面に表示された複数の項目のうちから選択した一項目を前記第１信号に基づいて他の位置又はフォルダに移動させることを特徴とする請求項１５に記載の移動通信端末機の制御方法。
【請求項２０】
前記画面の表示を制御するステップは、前記第１信号に基づいて前記画面に表示された第１項目の表示形態を変更させ、前記第２信号に基づいて前記画面に表示された第２項目の表示形態を変更させることを特徴とする請求項１５に記載の移動通信端末機の制御方法。
【請求項２１】
前記画面の表示を制御するステップは、前記第１及び第２回転キーのうち、いずれか１つが連続して２回選択されると、前記表示部の画面を第１及び第２画面に分割することを特徴とする請求項１５に記載の移動通信端末機の制御方法。
【請求項２２】
前記画面の表示を制御するステップは、前記第１回転キーが選択されると第１画面を表示し、前記第２回転キーが選択されると第２画面を表示することを特徴とする請求項１５に記載の移動通信端末機の制御方法。
【請求項２３】
前記第１回転キーは、さらに押圧操作により第３信号を出力し、前記第２回転キーは、さらに押圧操作により第４信号を出力するようにされ、
前記画面の表示を制御するステップは、
前記第１〜第４信号のいずれか一つを入力すると前記表示部の画面を第１及び第２画面に分割し、前記第１回転キーが押圧又は回転操作されると前記第１画面を選択し、前記第２回転キーが押圧又は回転操作されると前記第２画面を選択し、
前記第１画面が選択されると、前記第１信号に基づいて前記選択された第１画面を第１速度でスクロールし、前記第２信号に基づいて前記第１画面を第２速度でスクロールし、前記第４信号を入力すると前記第２画面に切り替え、
前記第２画面が選択されると、前記第１信号に基づいて前記選択された第２画面を前記第１速度でスクロールし、前記第２信号に基づいて前記第２画面を前記第２速度でスクロールし、前記第３信号を入力すると前記第１画面に切り替える、
ことを特徴とする請求項１５に記載の移動通信端末機の制御方法。
【請求項２４】
移動通信端末機の表示部の画面表示を制御する方法において、
端末機表面に少なくとも一部を露出させて回転及び押圧操作可能に設けられた入力装置の回転キーが回転されると一の信号を出力し、前記回転キーが押圧及び回転されると他の信号を出力するステップと、
前記二つの信号に基づいて前記表示部の画面の表示を制御するステップと、
を含むことを特徴とする移動通信端末機の制御方法。
【請求項２５】
前記画面の表示を制御するステップは、前記二つの信号のいずれか一方を入力すると前記表示部の画面を第１及び第２画面に分割し、前記一の信号に基づいて前記第１画面をスクロールさせ、前記他の信号に基づいて前記第２画面をスクロールさせることを特徴とする請求項２４に記載の移動通信端末機の制御方法。
【請求項２６】
前記画面の表示を制御するステップは、前記二つの信号のいずれか一方を入力すると前記表示部の画面を第１及び第２画面に分割し、前記一の信号に基づいて前記第１画面を第１速度でスクロールさせ、前記他の信号に基づいて前記第２画面を前記第１速度とは異なる第２速度でスクロールさせることを特徴とする請求項２４に記載の移動通信端末機の制御方法。
【請求項２７】
前記第１速度は、前記第２速度より速いことを特徴とする請求項２６に記載の移動通信端末機の制御方法。
【請求項２８】
前記画面の表示を制御するステップは、前記一の信号が連続して出力される時間に比例して、前記第１速度の速度を速めることを特徴とする請求項２６に記載の移動通信端末機の制御方法。
【発明の詳細な説明】
【技術分野】
【０００１】
本発明は、少なくとも一つの回転キーにより表示部の画面の多様な表示を制御可能として、入力装置のための限られた空間を有効利用しようとする移動通信端末機とその制御方法に関する。
【背景技術】
【０００２】
移動通信端末機は、基本通話機能に加えて多様な付加サービス機能を提供する。例えば、移動通信端末機は、短文メッセージサービス（ＳＭＳ）を利用してユーザが文字メッセージを送受信できるようにし、インターネットアクセス、及び音楽または映画再生などを可能にする。
【発明の開示】
【発明が解決しようとする課題】
【０００３】
しかしながら、移動通信端末機の大きさが一般的に小さいため、表示部及び入力装置に使用できる空間が制限されている。  このように制限された空間を有効に使用するために、従来の移動通信端末機においては、多様なファンクションキー、ナビゲーションキーなどが提供されているが、これらのキーは、一般に、上又は下方向キー、メニュー選択キーなどとしてのみ使用されており、画面の多様な表示を制御することができなかった。したがって、入力装置のための限られた空間の有効利用という点においては、不十分であった。
【０００４】
そこで、本発明は、上記問題点に対処し、少なくとも一つの回転キーにより表示部の画面の多様な表示を制御可能として、入力装置のための限られた空間をより有効利用しようとする移動通信端末機とその制御方法を提供することを目的とする。
【課題を解決するための手段】
【０００５】
上記目的を達成するために、第１の発明による移動通信端末機は、端末機表面に少なくとも一部を露出させて設けられ、回転操作により第１信号を出力する第１回転キーと、前記第１回転キーと異なる端末機表面位置に少なくとも一部を露出させて設けられ、回転操作により第２信号を出力する第２回転キーと、画像を表示する表示部と、前記第１及び第２信号に基づいて、前記表示部の画面の表示を制御する制御部と、を備えて構成したものである。
【０００６】
この場合、前記第１回転キーは、さらに押圧操作により第３信号を出力するように構成され、前記第２回転キーは、さらに押圧操作により第４信号を出力するように構成され、前記制御部は、前記第１〜第４信号のいずれか一つを入力すると前記表示部の画面を第１及び第２画面に分割し、前記第１回転キーが押圧又は回転操作されると前記第１画面を選択し、前記第２回転キーが押圧又は回転操作されると前記第２画面を選択し、前記第１画面が選択されると、前記第１信号に基づいて前記選択された第１画面を第１速度でスクロールし、前記第２信号に基づいて前記第１画面を第２速度でスクロールし、前記第４信号を入力すると前記第２画面に切り替え、前記第２画面が選択されると、前記第１信号に基づいて前記選択された第２画面を前記第１速度でスクロールし、前記第２信号に基づいて前記第２画面を前記第２速度でスクロールし、前記第３信号を入力すると前記第１画面に切り替えるようにしてもよい。
【０００７】
また、第２の発明による移動通信端末機は、端末機表面に少なくとも一部を露出させて回転及び押圧操作可能に設けられ、回転操作により一の信号を出力し、押圧及び回転操作により他の信号を出力する回転キーを備えた入力装置と、前記端末機表面にて前記入力装置に並べて設けられ、画像を表示する表示部と、前記二つの信号に基づいて前記表示部の画面の表示を制御する制御部と、を備えて構成したものである。
【０００８】
さらに、第３の発明による移動通信端末機の制御方法は、端末機表面に少なくとも一部を露出させて設けられた第１回転キーの回転操作により第１信号を出力するステップと、前記第１回転キーと異なる端末機表面位置に少なくとも一部を露出させて設けられた第２回転キーの回転操作により第２信号を出力するステップと、前記第１及び第２回信号に基づいて、表示部の画面の表示を制御するステップと、を含むものである。
【０００９】
そして、第４の発明による移動通信端末機の制御方法は、端末機表面に少なくとも一部を露出させて回転及び押圧操作可能に設けられた入力装置の回転キーが回転されると一の信号を出力し、前記回転キーが押圧及び回転されると他の信号を出力するステップと、前記二つの信号に基づいて前記表示部の画面の表示を制御するステップと、を含むものである。
【００１０】
本発明は、以下の詳細な説明によりさらに明らかになるはずである。しかしながら、この技術分野における通常の知識を有した者にとっては以下の詳細な説明から本発明の思想及び範囲内で多様な変形及び修正が可能であるということが明らかであるから、以下の詳細な説明及び特定例は、本発明の好ましい実施形態を示し、単に例示のために提供されたものであるということを理解すべきである
【発明の効果】
【００１１】
本発明の移動通信端末機及びその制御方法によれば、少なくとも一つの回転キーを使用して、画面の多様な表示を制御することができる。したがって、このような画面の多様な表示を制御するために沢山の操作キーを備える必要がないので、入力装置のための限られた空間を従来に増してより有効に利用することができる。
【発明を実施するための最良の形態】
【００１２】
以下、本発明の好ましい実施形態に対する詳細な説明が記載され、添付図面にその例が示されている。
まず、図１及び図２は、本発明の一実施形態に係る移動通信端末機１００を概略的に示している。図１及び図２に示すように、端末機１００は、表示窓１４１（例えば、液晶ディスプレイ：ＬＣＤ）、左／右ファンクションキー１３１、ボタンキー１３４（例えば、通話キー、通話終了キー、及び数字キー）、及びナビゲーションキー１３５を含む。さらに、端末機１００は、端末機１００の音量を制御する音量調節キー１３６及び端末機１００のカメラ機能を動作させるカメラ操作キー１３７を含む。
【００１３】
また、端末機１００は、第１回転キー１５０及び第２回転キー１６０を含む。本実施形態において、第１回転キー１５０は、端末機の側面部に設けられ、第２回転キー１６０は、ナビゲーションキー１３５の中央部に設けられている。また、第１及び第２回転キー１５０、１６０は、時計方向または反時計方向に回転することができ、第２回転キー１６０は、付加的に例えば命令を入力したり、又は項目（オプション）を選択するために用いることができるようになっている。したがって、第１回転キー１５０は、その回転操作に基づいて信号を出力し、第２回転キー１６０は、その回転及び押圧操作に基づいて信号を出力する。なお、第１回転キー１５０も、押圧機能を有していてもよい。
【００１４】
次に、図３は、図１及び図２に示す移動通信端末機１００のブロック図である。図３に示すように、移動通信端末機１００は、アンテナ１０５、通信部１１０、キー入力部１３０、表示部１４０、メモリ部１４５、第１回転キー１５０、第２回転キー１６０、及び制御部１７０を含む。通信部１１０は、アンテナ１０５を介して基地局との無線通信のためのインターフェスを提供する。
【００１５】
また、通信部１１０は、アンテナ１０５を介して受信される信号をフィルタリングするためのデュプレックスフィルタ、送信信号を増幅するためのパワー増幅器、基地局及び他の端末機と通信するのに用いられる送信経路内の周波数アップ変換回路及び受信経路内の周波数ダウン変換回路などを含む。また、キー入力部１３０は、数字キー及びファンクションキーのような複数のキーを含む。さらに、キー入力部１３０は、ユーザによる入力を検出し、ユーザが押圧したキーに対応する信号を制御部１７０に伝達する。
【００１６】
表示部１４０は、ＬＣＤ表示装置などを含み、移動通信端末機を制御するための異なるメニュー、受信通話状態を表す情報、バッテリー情報、端末機動作状態に関する情報などを表示する。また、メモリ部１４５は、移動通信端末機を動作させるために用いられるプログラムまたはデータ、及びユーザにより入力され、又は用いられるその他のデータを保存する。
【００１７】
また、上述のように、第２回転キー１６０は、移動通信端末機で異なる動作を行わせるために回転及び押圧操作できるようになっている。したがって、図４に示すように、第２回転キー１６０は、回転キー１６０が押圧されたことを検出する押圧検出部１６３及び回転キー１６０が回転されたことを検出する回転エンコーダ１６５を含む。さらに、第２回転キー１６０は、上または下へ回転（例えば、時計方向及び反時計方向）することができるローラ１６１を含む。第１回転キー１５０は、同様に、そのキーがどれくらい及びどの方向に回転されたかを判断するための回転エンコーダを含む。第１回転キー１５０の回転操作により出力する信号（第１信号）及び第２回転キー１６０の押圧／回転操作により出力する信号（第４信号／第２信号）は、それぞれ制御部１７０に伝達される。
【００１８】
また、制御部１７０は、上記信号に基づいて移動通信端末機の動作を制御する。特に、制御部１７０は、第１及び第２回転キー１５０、１６０から受信された信号の組み合わせを利用して、画面の多様な表示制御を行う。制御部１７０は、また端末機の全体動作だけでなく、移動通信端末機の各要素の動作も制御する。
【００１９】
次に、図５は、本発明の第１の実施形態に係る移動通信端末機の動作制御方法を示すフローチャートである。図５に示すように、まず所定のボタンが複数回選択されると、メニューから選択された一つの項目に関する画面を互いに関連する少なくとも２つの個別の画面に分割して表示する（ステップＳ３００）。
【００２０】
例えば、第２回転キー１６０が２回連続して押圧されると、図６（ａ）に示すように、メニューから選択された項目（オプション）に関する画面４００が互いに関連する第１画面４０１と第２画面４０３の２つの画面に分割表示される。他の例として、第１回転キー１５０が回転されると、選択された項目（オプション）に関する１つ目の画面が表示され、第２回転キー１６０が押圧又は回転されると、上記１つ目の画面に関連する２つ目の画面が表示されるようにしてもよい。又は、第１及び第２回転キーのうち、何れか１つが時計方向または反時計方向に連続して回転されると、上記２つの画面が表示されるようにしてもよい。したがって、ユーザは親指を利用して簡単に関連する２つの画面を表示することができる。
【００２１】
次に、第１回転キー１５０が回転されたか否かが判定される（ステップＳ３０５）。ここで、第１回転キーが回転された場合（ステップＳ３０５において「ＹＥＳ」の場合）、制御部１７０は、第１回転キー１５０が回転された方向に応じて、第１画面を上または下方向にスクロール（ｓｃｒｏｌｌ）する。さらに、第２回転キー１６０が回転されたか否かが判定される（ステップＳ３１５）。ここで、第２回転キー１６０が回転された場合（ステップＳ３１５において「ＹＥＳ」の場合）、制御部１７０は、第２回転キー１６０が回転された方向に応じて、第２画面を上または下方向にスクロールする。なお、第１回転キー１５０が回転されたか否かを判定する前に、第２回転キー１６０が回転されたか否かを判定してもよい。続いて、オプションが閉じられメニューが終了したか否かが判定される（ステップＳ３２５）。ここで、まだオプションが継続して実行されている場合（ステップＳ３２５において［ＮＯ］判定の場合）、ステップＳ３０５に戻り、ユーザが２つの画面に表示されたオプションを閉じたり、メニューを終了するまでステップＳ３０５〜Ｓ３２５が繰り返される。なお、画面スクロールは、第１回転キー１５０又は第２回転キー１６０を元の位置（ニュートラル位置）に戻せば停止する。以下、同様である。
【００２２】
２つ以上の画面が表示される場合には、制御部１７０は、第１及び第２回転キー１５０、１６０により出力された信号の組み合わせを利用して、どんな画面をスクロールするかを判断するように設定することができる。例えば、第１及び第２回転キー１５０、１６０が回転されると、上述のように制御部１７０は、第１及び第２画面をスクロールし、第３画面をスクロールするために、第２回転キー１６０が連続して３回押さえられると、第３画面が選択され、第２回転キー１６０の回転方向に応じて第３画面をスクロールすることができる。その他の変形例も可能である。
【００２３】
以下、上記方法について図６を参照して説明する。なお、図６（ａ）は、メニューから選択された項目（オプション）に関連する画面４００が互いに関連する第１画面４０１及び第２画面４０３に分割された状態を示している。図６に示すように、第１画面４０１は、例えば、チャット部屋にいる人々を表す複数のアイコンを表示する。第２画面４０３は、チャット部屋にいる異なる人々により入力されたメッセージを表示する。
【００２４】
次に、図６（ｂ）は、第１回転キー１５０を回転させて第１画面４０１をスクロールした状態を示している。同様に、図６（ｃ）は、第２回転キー１６０を回転させて第２画面４０３をスクロールした状態を示している。また、第１及び第２画面は、特定の画面をどれくらいスクロールしたかをユーザに表すためのスクロールバー４２５、４２７を含む。例えば、図６（ｂ）において、スクロールバー４２５は、画面４０１の底であることを示す。さらに、水平スクロールバーも用いることができる。また、スクロール画面を明確にするために、スクロールされた項目をハイライト（ｈｉｇｈｌｉｇｈｔ）にしてもよい。
【００２５】
また、図６（ａ），（ｃ）に示すように、スクロールバー４２７を利用して、ある位置４０５から他の位置４１５に第２画面４０３をスクロールする。なお、このスクロールバー４２７は、図６（ｂ）にのみ示されており、同図（ａ），（ｃ）では図示省略されている。
【００２６】
図７は、本発明の第２の実施形態に係る移動通信端末機の動作制御方法を示すフローチャートである。本第２の実施形態においては、第２回転キー１６０のみを利用して、第１及び第２画面をスクロールすることができる。この場合、まず、ユーザは、図６（ａ）に示すように、メニューから選択された項目（オプション）に関する画面を互いに関連する第１及び第２画面４０１、４０３に分割する（Ｓ４５０）。この画面の分割は、上記第１の実施形態と同様にして、例えば第２回転キー１６０を２回押圧して行なう。次に、第２回転キー１６０が押圧されたか否かが判定される（Ｓ４５５）。
【００２７】
第２回転キー１６０が押圧されずに、単に回転のみされた場合（ステップＳ４５５において「ＮＯ」判定の場合）、制御部１７０は、図６（ｃ）に示すように第２画面４０３をスクロールする。しかし、ユーザが第２回転キー１６０を押圧した場合（ステップＳ４５５において「ＹＥＳ」判定の場合）、制御部１７０は、第１画面４０１のスクロールを可能にし、第２回転キー１６０の回転により第１画面４０１をスクロールする。続いて、オプションが閉じられメニューが終了したか否かが判定される（ステップＳ４７０）。ここで、まだオプションが継続して実行されている場合（ステップＳ４７０において［ＮＯ］判定の場合）、ステップＳ４５５に戻り、ユーザが２つの画面に表示されたオプションを閉じるか、又は終了するまでステップＳ４５５〜Ｓ４７０５が繰り返される。
【００２８】
さらに、代案の実施形態においては、ユーザが第２回転キー１６０を回転のみさせた場合には、図７に示す動作とは逆に、第１画面４０１がスクロールされ、第２回転キー１６０を押圧した場合には、第２画面４０３のスクロールが可能となるようにしてもよい。付加的に、第１回転キー１５０にも押圧検出部を設けて、第２回転キー１６０に替えて、上記第１回転キー１５０の押圧／回転信号（第３／第１信号）により２つの画面をスクロールしてもよい。これにより、本発明の第２の実施形態によれば、１つの回転キーを利用して、分割された画面をそれぞれ個別にスクロールできる。
【００２９】
次に、図８は、本発明の第３の実施形態に係る移動通信端末機の動作制御方法を示すフローチャートである。図８に示すように、キー入力部１３０を介して特定メニューが選択されると、制御部１７０は、表示部１４０に該当画面を表示する（Ｓ５００）。次に、第１回転キー１５０が回転されたか否かが判定される（Ｓ５０５）。ここで、第１回転キー１５０が回転された場合（ステップＳ５０５において「ＹＥＳ」判定の場合）、制御部１７０は、表示された画面を高速でスクロールする。  続いて、第２回転キー１６０が回転されたか否かが判定される（Ｓ５１５）。第２回転キー１６０が回転された場合（ステップＳ５１５において「ＹＥＳ」判定の場合）、制御部１７０は、標準速度で画面をスクロールする。なお、上記高速は、上記標準速度よりも速い速度であり、標準速度は予め設定された一定の速度である。次に、メニューが終了されたか否かが判定される（Ｓ５２５）。ここで、メニューが終了されていない場合（ステップＳ５２５において「ＮＯ」判定の場合）、ステップＳ５０５に戻り、選択されたメニューが完了するまでステップＳ５０５〜Ｓ５２５が繰り返して行われる（Ｓ５２５）。
【００３０】
次に、上記方法を図９に示す画面を参照して説明する。図９（ａ）は、表示された特定メニュー画面６００を示している。同図中符号６０５は、現在ハイライトにされた項目を示す。したがって、ユーザが第２回転キー１６０を回転させれば、画面６００に含まれる項目が図６（ｂ）に示すように標準速度でスクロールされる。なお、同図中符号６２５は、標準速度でスクロールされて選択された上記ハイライトにされた項目の次の項目を示す（例えば、項目別）。
【００３１】
さらに、ユーザが第１回転キー１５０を回転させれば、制御部１７０は、図６（ｃ）に示すように、高速でスクロールし表示された項目を高速で選択可能とする。なお、図６（ｃ）中符号６４５は、高速スクロールされたハイライト項目を示す。また、標準及び高速スクロールの速度は、端末機の製造業者により事前に設定されてもよく、適当なメニューオプションを利用してユーザが調整してもよい。
【００３２】
次に、図１０は、本発明の第４の実施形態に係る移動通信端末機の動作制御方法を示すフローチャートである。図１０に示すように、キー入力部１３０を介して特定メニューが選択されると、制御部１７０は、表示部１４０に該当画面を表示する（Ｓ６５０）。次に、第２回転キー１６０が押圧されたか否かを判定する（Ｓ６５５）。ここで、第２回転キー１６０が押圧されずに回転のみされた場合（ステップＳ６５５において「ＮＯ」判定の場合）、制御部１７０は、標準速度で画面の項目をスクロールする（Ｓ６６５）。一方、第２回転キー１６０を押圧させた場合（ステップＳ６５５において「ＹＥＳ」判定の場合）、制御部１７０は、第２回転キー１６０の回転により高速で画面の項目をスクロールする（Ｓ６６０）。次に、選択されたメニューが終了したか否かが判定される（Ｓ６７０）。ここで、メニューが終了されていない場合（ステップＳ６７０において「ＮＯ」判定の場合）には、ステップＳ６５５に戻って選択されたメニューが完了するまでステップＳ６５５〜Ｓ６７０が繰り返して行われる。
【００３３】
次に、図１０に示す上記第４の実施形態の方法を、図９に示す画面を参照して説明する。図９（ａ）は、選択された特定メニューに対応する画面を示し、図９（ｂ）は、標準速度で項目をスクロールした状態を示し、図９（ｃ）は、高速で項目をスクロールした状態を示す。なお、画面がスクロールされる速度は、第２回転キー１６０が押圧される長さに比例して、速くなるように制御してもよい。即ち、第２回転キー１６０を押圧したまま回転すると、画面のスクロール速度は、第２回転キー１６０が押圧されている時間の長さに応じて、次第に速くなるようにしてもよい。また、第１回転キー１５０も適当な押圧検出部を設けて、第２回転キー１６０と同じ機能を持たせてもよい。
【００３４】
図１１は、本発明の第５の実施形態に係る移動通信端末機の動作制御方法を説明するための画面を示す概略図である。本第５の実施形態は、第１及び第２回転キー１５０，１６０を利用したドラッグ・アンド・ドロップ（ｄｒａｇ  ＆  ｄｒｏｐ）機能が提供される場合を例示している。
【００３５】
具体的には、図１１（ａ）は、複数のファイル及びフォルダを含むメインメニューの画面７００を示している。ユーザは、例えば、第２回転キー１６０を回転させることによって、画面７００の項目をスクロールできる。その後、一つの項目を所定の時間よりも長い時間、ハイライト状態にするか、又は第２回転キー１６０を押圧することによって、ハイライトされた項目、即ち図１１（ａ）に示すファイル名２が選択される。次に、ユーザが第１回転キー１５０を回転させると、第１回転キー１５０の回転方向に上記選択された項目が引かれていく。上記選択された項目が所定時間の間、一定位置にとどまるか、又は第２回転キー１６０が押圧されることによって、上記選択された項目が選択されたフォルダ又は位置まで移動される（ドラッグ・アンド・ドロップ）。
【００３６】
例えば、図１１（ｂ）は、ファイル名２（符号７２５参照）が選択されて、写真フォルダ（符号７３０参照）にドラッグされる状態を示している。又は、写真フォルダをハイライトし、第２回転キー１６０を再度押圧することによって、ファイル名２を写真フォルダにドロップするようにしてもよい。さらに、ドラッグ・アンド・ドロップ機能を第２回転キー１６０のみで実行してもよい。例えば、メニュー画面７００において第２回転キー１６０を押圧することによって、１つのファイルを選択し、第２回転キー１６０を押圧したまま回転させて、選択されたファイル７２５をドラッグ・アンド・ドロップ方式により所望のフォルダ又は位置に移動させてもよい。そして、上記第１回転キー１５０及び第２回転キー１６０の機能を入れ替えてもよい。
【００３７】
したがって、第１及び第２回転キー１５０、１６０は、所定速度で特定画面を容易にスクロールし、表示部上に表示された項目をドラッグ・アンド・ドロップするのに用いることができる。これにより、本発明は、ユーザの便宜性を向上させることができる。また、端末機が１つの回転キーまたは２つの回転キーにより制御され得るため、移動通信端末機のキーを制限された空間でさらに効率的に配置することができ、これにより、ユーザの便宜性をより向上させることができる。
【００３８】
図１２は、本発明の第６の実施形態に係る移動通信端末機の動作制御方法を示す概略図である。本実施形態は、第１及び第２回転キー１５０、１６０の操作により、項目の表示設定が変わる場合を示している。具体的には、図１２（ａ）は、コンピュータの壁紙８０３を有する画面８００を示している。この例において、ユーザが第２回転キー１６０を回転させれば、コンピュータの壁紙８０３が他のコンピュータの壁紙８０５に変わる（図１２（ｂ）参照）。また、図１２（ｃ）は、第１回転キー１５０を回転させることによって、特定項目８０７の表示状態が変わることを示している。上述のように、第１及び第２回転キー１５０、１６０は、相異なる項目の表示を変更するのに用いることができる。
【００３９】
次に、図１３は、本発明の第７の実施形態に係る移動通信端末機の動作制御方法を示すフローチャートである。本実施形態において、分割された第１及び第２画面をトグル（ｔｏｇｇｌｅ）することができ、それぞれの画面を相異なるスクロール速度でスクロールできる。具体的には、２つの画面が提供された場合、第１又は第２回転キー１５０、１６０のいずれの回転キーが選択されたかを判定する（Ｓ７００）。キーを押圧するか、又は回転させることによって、いずれかの回転キーを選択することができる。なお、本第７の実施形態においては、一例として、第１及び第２回転キー１５０、１６０のいずれも押圧及び回転させることができる場合について説明する。
【００４０】
ユーザが第１回転キー１５０を選択した場合、第１画面が選択（ハイライト）される（Ｓ７０１）。同様に、ユーザが第２回転キー１６０を選択した場合には、第２画面が選択される（Ｓ７０３）。これにより、ユーザは、第１及び第２画面をトグルすることができる。次に、ステップＳ７０１において第１画面が選択された場合、第１回転キー１５０又は第２回転キー１６０の回転有無が判定される（Ｓ７０２）。ここで、第１回転キー１５０が回転されれば、選択された第１画面が第１スクロール速度でスクロールされる（Ｓ７０８）。一方、第２回転キー１６０が回転されれば、選択された第１画面が第１スクロール速度と異なる第２スクロール速度でスクロールされる（Ｓ７０６）。続いて、第１画面が選択（ハイライト）された状態において、第２回転キー１６０が押圧されれば（Ｓ７１４）、第２画面が選択され（Ｓ７１８）、ステップＳ７０４に進む。
【００４１】
一方、ステップ（Ｓ７００）において第２回転キーが選択（ハイライト）されれば、第２画面が選択（ハイライト）され（Ｓ７０３）、第１回転キー１５０又は第２回転キー１６０の回転有無が判定される（Ｓ７０４）。第１回転キー１５０が回転されれば、選択された第２画面が第１スクロール速度でスクロールされる（Ｓ７１２）。また、第２回転キー１６０が回転されれば、選択された第２画面が第２スクロール速度でスクロールされる（Ｓ７１０）。さらに、第１画面が選択（ハイライト）された状態において、第１回転キー１５０が押圧されると（Ｓ７１６）、第１画面が選択され（Ｓ７２０）、ステップＳ７０２に進む。
【００４２】
なお、本発明は、上記第１〜第７の実施形態に限られず、第１回転キー１５０の回転時の第１信号、押圧時の第３信号及び第２回転キー１６０の回転時の第２信号、押圧時の第４信号のうち少なくとも二つの信号を適宜組み合わせて画面の分割、選択、スクロール等を行わせてもよい。
【００４３】
本発明は、発明の必須の特徴及び思想を逸脱しない範囲内で、様々な形態で具現化することができるので、前述の実施形態は、特別に特定されない限り、前述の記載の細部事項に制限されず、添付した特許請求の範囲に定義された思想及び範囲内で幅広く解析されるべきであり、これにより、特許請求の範囲内に該当する全ての変形及び修正、またはその等価物は、添付された特許請求の範囲内に含まれるように意図される。
【図面の簡単な説明】
【００４４】
【図１】本発明の一実施形態に係る移動通信端末機の概略図である。
【図２】本発明の一実施形態に係る移動通信端末機の概略図である。
【図３】本発明の一実施形態に係る移動通信端末機のブロック図である。
【図４】図３に示す第２回転キーのブロック図である。
【図５】本発明の第１の実施形態に係る移動通信端末機の制御方法を示すフローチャートである。
【図６】本発明の第１の実施形態に係る移動通信端末機の動作制御時に表示される画面を示す概略図である。
【図７】本発明の第２の実施形態に係る移動通信端末機の制御方法を示すフローチャートである。
【図８】本発明の第３の実施形態に係る移動通信端末機の制御方法を示すフローチャートである。
【図９】本発明の第３の実施形態に係る移動通信端末機の動作制御時に表示される画面を示す概略図である。
【図１０】本発明の第４の実施形態に係る移動通信端末機の制御方法を示すフローチャートである。
【図１１】本発明の第５の実施形態に係る移動通信端末機の動作制御方法を説明するための画面を示す概略図である。
【図１２】本発明の第６の実施形態に係る移動通信端末機の動作制御方法を示す概略図である。
【図１３】本発明の第７の実施形態に係る移動通信端末機の制御方法を示すフローチャートである。
【符号の説明】
【００４５】
１１０      通信部
１３０      キー入力部
１４０      表示部
１４５      メモリ部
１５０      第１回転キー
１６０      第２回転キー
１７０      制御部
１６１      ローラ
１６３      押圧検出部
１６５      回転エンコーダ
【図１】
2007325255.tif 000003
【図２】
2007325255.tif 000004
【図３】
2007325255.tif 000005
【図４】
2007325255.tif 000006
【図５】
2007325255.tif 000007
【図６】
2007325255.tif 000008
【図７】
2007325255.tif 000009
【図８】
2007325255.tif 000010
【図９】
2007325255.tif 000011
【図１０】
2007325255.tif 000012
【図１１】
2007325255.tif 000013
【図１２】
2007325255.tif 000014
【図１３】
2007325255.tif 000015